【手続補正書】
【提出日】平成19年10月11日(2007.10.11)
【手続補正１】
【補正対象書類名】特許請求の範囲
【補正対象項目名】全文
【補正方法】変更
【補正の内容】
【特許請求の範囲】
【請求項１】
携帯電話、パソコン（ＰＣ）、銀行の現金引出し機から選択される端末を通した特定サーバーのオンラインユーザー認証方法において、
前記サーバーは、
ａ）ユーザー別に予め設定されている二つ以上のキーイメージと他のイメージがランダムに混ざった状態のイメージ表を生成して前記ユーザーの端末を通じて画面出力されるようにする段階；
ｂ）前記端末から前記キーイメージが有効に選択・入力されると、前記ユーザーに対する認証を承認する段階；を含み、
前記端末に出力されたイメージ表から前記キーイメージが選択される過程が表示出力されないことを特徴とするユーザーのセキュリティ認証方法。
【請求項２】
ｃ）前記ａ）段階以前には、前記端末を通じてテキスト入力によるログイン過程（テキスト入力によるユーザーＩＤ及びパスワードを入力）をさらに含むことを特徴とする請求項１に記載のユーザーのセキュリティ認証方法。
【請求項３】
前記ａ）段階以前には、
前記サーバーに接続されて前記サーバーから前記端末に前記端末のオンライン上の接続位置を追跡する機能のプログラムが自動設置及び実行され、前記端末の接続位置情報が前記サーバーに伝送及び記録される接続位置追跡段階をさらに含むことを特徴とする請求項１に記載のユーザーのセキュリティ認証方法。
【請求項４】
前記ｃ）段階以前または前記ｃ）段階以後、前記ａ）段階以前には、
前記サーバーに接続されて前記サーバーから前記端末に前記端末のオンライン上の接続位置を追跡する機能のプログラムが自動設置及び実行され、前記端末の接続位置情報が前記サーバーに伝送及び記録される接続位置追跡段階をさらに含むことを特徴とする請求項２に記載のユーザーのセキュリティ認証方法。
【請求項５】
前記ユーザーの認証アクセス時に出力される前記イメージ表は、従来の認証アクセス時に出力されたイメージ表と異なるものであることを特徴とする請求項１に記載のユーザーのセキュリティ認証方法。
【請求項６】
前記ユーザーの認証アクセス時に出力される前記イメージ表は、従来の認証アクセス時に出力されたイメージ表と異なるものであることを特徴とする請求項２に記載のユーザーのセキュリティ認証方法。
【請求項７】
前記ｂ）段階の開始座標（最初に入力するキーイメージ座標）は、
複数のキーイメージのうちのいずれかで予め設定されることを特徴とする請求項１ないし６のいずれかに記載のユーザーのセキュリティ認証方法。
【請求項８】
前記ｂ）段階の認証承認方式は、
前記キーイメージの入力順序が予め設定されていて、前記イメージ表で座標移動して当該キーイメージを順に入力させる方式で運用されることを特徴とする請求項１ないし６のいずれかに記載のユーザーのセキュリティ認証方法。
【請求項９】
前記ｂ）段階での開始座標（最初に入力するキーイメージ座標）は、
前記複数のキーイメージのうち、一番目のキーイメージの座標として設定されることを特徴とする請求項８に記載のユーザーのセキュリティ認証方法。
【請求項１０】
前記イメージ表には一つまたはそれ以上の特定イメージがブービートラップ（ｂｕｂｂｙ  ｔｒａｐ）キーとして設定され、
前記サーバーまたはロック装置は、前記ｂ）段階で前記キーイメージを選択入力するための座標移動時に前記ブービートラップキーを経由する場合、認証を拒否した後、アラームメッセージを予め設定しておいた装置にＳＭＳ（ショートメッセージサービス）または電子メールで伝送するように運用されることを特徴とする請求項１ないし６のいずれかに記載のユーザーのセキュリティ認証方法。
【請求項１１】
前記イメージ表には一つまたはそれ以上の特定イメージがブービートラップキーとして設定され、
前記サーバーまたは前記ロック装置は前記ｂ）段階で前記キーイメージを選択入力するための座標移動時に前記ブービートラップキーを経由する場合、認証を拒否した後、アラームメッセージを前記端末にＳＭＳまたは電子メールで伝送するように運用されることを特徴とする請求項８に記載のユーザーのセキュリティ認証方法。
【請求項１２】
前記イメージ表には一つまたはそれ以上の特定イメージが申告キーとして設定され、
前記サーバーまたは前記ロック装置は、前記ｂ）段階で前記キーイメージを選択入力するための座標移動時に前記申告キーをそのキーイメージとして選択入力する場合、認証に対する承認処理を行った後、警備システムを通じて警備業者や警察署に自動申告するように運用されることを特徴とする請求項１ないし６のいずれかに記載のユーザーのセキュリティ認証方法。
【請求項１３】
前記イメージ表には一つまたはそれ以上の特定イメージが申告キーとして設定され、
前記サーバーまたは前記ロック装置は、前記ｂ）段階で前記キーイメージを選択入力するための座標移動時に前記申告キーをそのキーイメージとして選択入力する場合、認証に対する承認処理を行った後、警備システムを通じて警備業者や警察署に自動申告するように運用されることを特徴とする請求項８に記載のユーザーのセキュリティ認証方法。
【請求項１４】
前記サーバーは、
前記ａ）段階以前に、前記ユーザーにより前記イメージ表を構成するキーイメージ及び他のイメージをユーザーが個別的に選択して製作した個人化イメージ表を構成及び登録できるように運用されることを特徴とする請求項１ないし６のいずれかに記載のユーザーのセキュリティ認証方法。
【請求項１５】
前記サーバーは、
前記ａ）段階以前に、前記ユーザーにより前記イメージ表を構成するキーイメージ及び他のイメージをユーザーが個別的に選択して製作した個人化イメージ表を構成及び登録できるように運用されることを特徴とする請求項８に記載のユーザーのセキュリティ認証方法。
【請求項１６】
前記サーバーは、
前記ユーザーのコンピュータを区別する識別情報が記録されるプロファイルテーブルを備え、前記ユーザーにより前記プロファイルテーブルに記録されないコンピュータをメーンコンピュータ（主使用コンピュータ）または第３者コンピュータに設定登録できるように、前記ユーザーのコンピュータにインターフェースを提供することを含むことを特徴とする請求項１ないし６のいずれかに記載のユーザーのセキュリティ認証方法。
【請求項１７】
前記サーバーは、
前記ユーザーのコンピュータを区別する識別情報が記録されるプロファイルテーブルを備え、前記ユーザーにより前記プロファイルテーブルに記録されないコンピュータをメーンコンピュータ（主使用コンピュータ）または第３者コンピュータに設定登録できるように、前記ユーザーのコンピュータにインターフェースを提供することを含むことを特徴とする請求項８に記載のユーザーのセキュリティ認証方法。
【請求項１８】
前記サーバーは、
前記プロファイルテーブルに記録されないコンピュータを通じて認証アクセスがあれば、その認証結果に関係なく、前記プロファイルテーブルに記録されている前記ユーザーの連絡先にアラームメッセージを通報するように運用されることを特徴とする請求項１６に記載のユーザーのセキュリティ認証方法。
【請求項１９】
前記サーバーは、
前記プロファイルテーブルに記録されないコンピュータを通じて認証アクセスがあれば、その認証結果に関係なく、前記プロファイルテーブルに記録されている前記ユーザーの連絡先にアラームメッセージを通報するように運用されることを特徴とする請求項１７に記載のユーザーのセキュリティ認証方法。
【請求項２０】
前記サーバーは、
前記ｂ）段階以前に接続された端末のＩＰ情報を獲得し、
前記ｂ）段階から前記ユーザーの前記イメージキーが有効に入力されていない場合、前記ユーザーに前記ＩＰ情報を含むアラームメッセージを通報するように運用されることを特徴とする請求項１ないし６、１１、１３、１５、１７ないし１９のいずれかに記載のユーザーのセキュリティ認証方法。
【請求項２１】
ドアロック、金庫から選択されるロック装置のユーザー認証方法において、
前記ロック装置は、
ａ）予め設定されている二つ以上のキーイメージと他のイメージがランダムに混ざった状態のイメージ表を生成及び出力する段階；
ｂ）入力装置を通じて前記キーイメージが有効に選択・入力されると、前記ユーザーの認証を承認してロック解除する段階；を含み、
前記ロック装置に出力されたイメージ表から前記キーイメージが選択される過程が表示出力されないことを特徴とするユーザーのセキュリティ認証方法。
【請求項２２】
ｃ）前記ａ）段階以前には、前記ロック装置を通じてテキスト入力によるログイン過程（テキスト入力によるユーザーＩＤ及びパスワードの入力）をさらに含むことを特徴とする請求項２１に記載のユーザーのセキュリティ認証方法。
【請求項２３】
前記ユーザーの認証アクセス時に出力される前記イメージ表は、従前の認証アクセス時に出力されたイメージ表と異なるものであることを特徴とする請求項２１または２２に記載のユーザーのセキュリティ認証方法。
【請求項２４】
前記ｂ）段階の認証承認方式は、
前記キーイメージの入力順序が予め設定されていて、前記イメージ表で座標移動して当該キーイメージを順に入力させる方式で運用されることを特徴とする請求項２１または２２に記載のユーザーのセキュリティ認証方法。
【請求項２５】
前記キーイメージの入力順序が予め設定されていて、前記イメージ表で座標移動して当該キーイメージを順に入力させる方式で運用されることを特徴とする請求項２３に記載のユーザーのセキュリティ認証方法。
【請求項２６】
前記イメージ表には一つまたはそれ以上の特定イメージがブービートラップキーとして設定され、
前記ロック装置は、前記ｂ）段階で前記キーイメージを選択入力するための座標移動時に前記ブービートラップキーを経由する場合、認証を拒否した後、アラームメッセージを予め設定しておいた装置にＳＭＳまたは電子メールで伝送するように運用されることを特徴とする請求項２１または２２に記載のユーザーのセキュリティ認証方法。
【請求項２７】
前記イメージ表には一つまたはそれ以上の特定イメージが申告キーとして設定され、
前記ロック装置は、前記ｂ）段階で前記キーイメージを選択入力するための座標移動時に前記申告キーをそのキーイメージとして選択入力する場合、認証に対する承認処理を行った後、警備システムを通じて警備業者や警察署に自動申告するように運用されることを特徴とする請求項２１または２２に記載のユーザーのセキュリティ認証方法。